(57)【要約】【課題】利便性良好に字幕を見易く表示する。【解決手段】ＨＤＤプレイヤ１００のＤＳＰ３２は、ＨＤＤ６１に格納された映像情報を再生し、ディスプレイ２００に表示する映像表示制御部３２１と、ＨＤＤ６１に格納された字幕の文字情報及び該文字情報の表示を開始するタイミングを規定する表示開始時点情報を読み出して取得する字幕取得部３２２と、字幕取得部３２２によって取得され、表示開始時点情報が隣接する複数の字幕に対応する文字情報を、予め設定されたルールに則って、ディスプレイ２００に予め設定された所定の領域に同時に表示する字幕表示制御部３２３と、を備えている。【選択図】図２
2008211651.tif 000002
【特許請求の範囲】
【請求項１】
ＤｉｖＸ形式でＨＤＤに格納された映像情報を再生しモニタに表示するＨＤＤプレイヤであって、
前記ＨＤＤに格納された映像情報を再生し、モニタに表示する映像表示手段と、
前記ＨＤＤに格納された字幕の文字情報及び該文字情報の表示を開始するタイミングを規定する表示開始時点情報を読み出して取得する字幕取得手段と、
前記字幕取得手段によって取得され、前記表示開始時点情報が隣接する複数の字幕に対応する文字情報を、予め設定されたルールに則って、モニタに予め設定された所定の領域に同時に表示する字幕表示手段と、
を備え、
前記字幕表示手段は、
前記字幕取得手段によって取得された第１の字幕に対応する文字情報を、対応する表示開始時点情報に基づいて、モニタの表示可能領域の下部に設定された第１領域に表示し、
前記第１の字幕に対応する表示開始時点情報である第１開始時点情報の示すタイミングの次に表示されるべく表示開始時点情報が設定された第２の字幕の表示開始時点情報である第２開始時点情報の示すタイミングで、前記第１領域に近接し、前記第１領域の上側に設定された第２領域に表示し、
前記第１の字幕に対応する文字情報を、前記第１開始時点情報の示すタイミングから前記第２開始時点情報の示すタイミングまで前記第１領域に表示し、
前記第１の字幕に対応する文字情報を、前記第２開始時点情報の示すタイミングの次に表示されるべく表示開始時点情報が設定された第３の字幕の表示開始時点情報の示すタイミングまで前記第２領域に表示することを特徴とするＨＤＤプレイヤ。
【請求項２】
予め設定された所定の形式で記録媒体に格納された映像情報を再生しモニタに表示する映像情報再生装置であって、
前記記録媒体に格納された映像情報を再生し、モニタに表示する映像表示手段と、
前記記録媒体に格納された字幕の文字情報及び該文字情報の表示を開始するタイミングを規定する表示開始時点情報を読み出して取得する字幕取得手段と、
前記字幕取得手段によって取得され、前記表示開始時点情報が隣接する複数の字幕に対応する文字情報を、予め設定されたルールに則って、モニタに予め設定された所定の領域に同時に表示する字幕表示手段と、
を備えることを特徴とする映像情報再生装置。
【請求項３】
前記字幕表示手段は、
前記字幕取得手段によって取得された第１の字幕に対応する文字情報を、対応する表示開始時点情報に基づいて、予め設定された第１領域に表示し、
前記第１の字幕に対応する表示開始時点情報である第１開始時点情報の示すタイミングの次に表示されるべく表示開始時点情報が設定された第２の字幕の表示開始時点情報である第２開始時点情報の示すタイミングで、予め設定され前記第１領域と異なる領域である第２領域に表示することを特徴とする請求項２に記載の映像情報再生装置。
【請求項４】
前記第１領域は、モニタの表示可能領域の下部に設定され、
前記第２領域は、前記第１領域に近接し、前記第１領域の上側に設定されていることを特徴とする請求項３に記載の映像情報再生装置。
【請求項５】
前記字幕表示手段は、前記第１の字幕に対応する文字情報を、前記第１開始時点情報の示すタイミングから前記第２開始時点情報の示すタイミングまで前記第１領域に表示することを特徴とする請求項３又は請求項４に記載の映像情報再生装置。
【請求項６】
前記字幕表示手段は、前記第１の字幕に対応する文字情報を、前記第２開始時点情報の示すタイミングの次に表示されるべく表示開始時点情報が設定された第３の字幕の表示開始時点情報の示すタイミングまで前記第２領域に表示することを特徴とする請求項３〜請求項５のいずれかに記載の映像情報再生装置。
【請求項７】
前記所定の形式は、ＤｉｖＸ形式であることを特徴とする請求項２〜請求項６のいずれかに記載の映像情報再生装置。
【発明の詳細な説明】
【技術分野】
【０００１】
本発明は、予め設定された所定の形式で記録媒体に格納された映像情報を再生しモニタに表示する映像情報再生装置に関する。特に、ＤｉｖＸ形式でＨＤＤ（Ｈａｒｄ  Ｄｉｓｋ  Ｄｒｉｖｅ）に格納された映像情報を再生しモニタに表示するＨＤＤプレイヤに関する。
【背景技術】
【０００２】
近年、ビデオカメラ及びパーソナルコンピュータの安価化、高性能化の進展に伴い、ユーザが自ら撮影した映像の映像情報をエンコードしてＨＤＤ等の記録媒体に格納することが比較的容易に実現可能になってきている。また、映像情報をエンコードする符号化方式としては、ＭＰＥＧ４（Ｍｏｖｉｎｇ  Ｐｉｃｔｕｒｅ  Ｅｘｐｅｒｔｓ  Ｇｒｏｕｐ  ｐｈａｓｅ  ４）、ＷＭＶ（Ｗｉｎｄｏｗｓ（登録商標）  Ｍｅｄｉａ  Ｖｉｄｅｏ）、ＤｉｖＸ等がある。
【０００３】
また、ＤｉｖＸ形式でエンコードする場合には、ユーザが所望するシーンに合わせて、ユーザが字幕を作成及び編集することが可能である。この場合には、ＨＤＤプレイヤ等で再生する場合にユーザの所望する字幕を表示することができる。
【０００４】
一方、字幕を読む速度が遅いユーザ等のために字幕を見易く表示する種々の方法、装置等が提案されている。例えば、再生された字幕を画面表示単位毎に記憶するサブピクチャメモリを設け、字幕の巻き戻しが指示されたときに、光ピックアップによるＤＶＤ上の映像、音声、字幕の読取位置を戻すことなく、サブピクチャメモリに記憶された過去の再生字幕を読み出して、この再生字幕を字幕巻戻指示時点における再生映像と合成して出力する光ディスク再生装置が開示されている（特許文献１参照）。この光ディスク再生装置によれば、以前に表示した字幕を瞬時に画面上に再表示できるため、ユーザが読み終えることができなかった字幕を容易に画面上で確認することができる。
【特許文献１】特開２００４−２１３８３２号公報
【発明の開示】
【発明が解決しようとする課題】
【０００５】
しかしながら、上記光ディスク再生装置では、ユーザは字幕巻戻指示に対応する操作入力をする必要があるため、ユーザにとって操作が煩雑となる場合があった。また、以前に表示した字幕が画面上に再表示されるため、表示される字幕の、表示される映像との関係が不明瞭となる場合があった。
【０００６】
上記の課題に鑑みて、本発明は、利便性良好に字幕を見易く表示することの可能な映像情報再生装置及びＨＤＤプレイヤを提供することを目的としている。
【課題を解決するための手段】
【０００７】
上記目的を達成するために請求項１に記載のＨＤＤプレイヤは、ＤｉｖＸ形式でＨＤＤに格納された映像情報を再生しモニタに表示するＨＤＤプレイヤであって、前記ＨＤＤに格納された映像情報を再生し、モニタに表示する映像表示手段と、前記ＨＤＤに格納された字幕の文字情報及び該文字情報の表示を開始するタイミングを規定する表示開始時点情報を読み出して取得する字幕取得手段と、前記字幕取得手段によって取得され、前記表示開始時点情報が隣接する複数の字幕に対応する文字情報を、予め設定されたルールに則って、モニタに予め設定された所定の領域に同時に表示する字幕表示手段と、を備え、前記字幕表示手段が、前記字幕取得手段によって取得された第１の字幕に対応する文字情報を、対応する表示開始時点情報に基づいて、モニタの表示可能領域の下部に設定された第１領域に表示し、前記第１の字幕に対応する表示開始時点情報である第１開始時点情報の示すタイミングの次に表示されるべく表示開始時点情報が設定された第２の字幕の表示開始時点情報である第２開始時点情報の示すタイミングで、前記第１領域に近接し、前記第１領域の上側に設定された第２領域に表示し、前記第１の字幕に対応する文字情報を、前記第１開始時点情報の示すタイミングから前記第２開始時点情報の示すタイミングまで前記第１領域に表示し、前記第１の字幕に対応する文字情報を、前記第２開始時点情報の示すタイミングの次に表示されるべく表示開始時点情報が設定された第３の字幕の表示開始時点情報の示すタイミングまで前記第２領域に表示することを特徴としている。
【０００８】
請求項２に記載の映像情報再生装置は、予め設定された所定の形式で記録媒体に格納された映像情報を再生しモニタに表示する映像情報再生装置であって、前記記録媒体に格納された映像情報を再生し、モニタに表示する映像表示手段と、前記記録媒体に格納された字幕の文字情報及び該文字情報の表示を開始するタイミングを規定する表示開始時点情報を読み出して取得する字幕取得手段と、前記字幕取得手段によって取得され、前記表示開始時点情報が隣接する複数の字幕に対応する文字情報を、予め設定されたルールに則って、モニタに予め設定された所定の領域に同時に表示する字幕表示手段と、を備えることを特徴としている。
【０００９】
請求項３に記載の映像情報再生装置は、請求項２に記載の映像情報再生装置であって、前記字幕表示手段が、前記字幕取得手段によって取得された第１の字幕に対応する文字情報を、対応する表示開始時点情報に基づいて、予め設定された第１領域に表示し、前記第１の字幕に対応する表示開始時点情報である第１開始時点情報の示すタイミングの次に表示されるべく表示開始時点情報が設定された第２の字幕の表示開始時点情報である第２開始時点情報の示すタイミングで、予め設定され前記第１領域と異なる領域である第２領域に表示することを特徴としている。
【００１０】
請求項４に記載の映像情報再生装置は、請求項３に記載の映像情報再生装置であって、前記第１領域が、モニタの表示可能領域の下部に設定され、前記第２領域が、前記第１領域に近接し、前記第１領域の上側に設定されていることを特徴としている。
【００１１】
請求項５に記載の映像情報再生装置は、請求項３又は請求項４に記載の映像情報再生装置であって、前記字幕表示手段が、前記第１の字幕に対応する文字情報を、前記第１開始時点情報の示すタイミングから前記第２開始時点情報の示すタイミングまで前記第１領域に表示することを特徴としている。
【００１２】
請求項６に記載の映像情報再生装置は、請求項３〜請求項５のいずれかに記載の映像情報再生装置であって、前記字幕表示手段が、前記第１の字幕に対応する文字情報を、前記第２開始時点情報の示すタイミングの次に表示されるべく表示開始時点情報が設定された第３の字幕の表示開始時点情報の示すタイミングまで前記第２領域に表示することを特徴としている。
【００１３】
請求項７に記載の映像情報再生装置は、請求項２〜請求項６のいずれかに記載の映像情報再生装置であって、前記所定の形式がＤｉｖＸ形式であることを特徴としている。
【発明の効果】
【００１４】
請求項１に記載のＨＤＤプレイヤによれば、ＨＤＤに格納された映像情報が再生されて、モニタに表示されると共に、ＨＤＤに格納された字幕の文字情報及び該文字情報の表示を開始するタイミングを規定する表示開始時点情報が読み出して取得される。そして、表示開始時点情報が隣接する複数の字幕に対応する文字情報が、予め設定されたルールに則って、モニタに予め設定された所定の領域に同時に表示されるため、利便性良好に字幕を見易く表示することができる。
【００１５】
すなわち、表示開始時点情報が隣接する複数の字幕に対応する文字情報が、予め設定されたルールに則って、モニタに予め設定された所定の領域に同時に表示されるため、従来の２倍以上の期間にわたって、字幕に対応する文字情報が表示されるので、利便性良好に字幕を見易く表示することができるのである。
【００１６】
例えば、従来は５秒毎に字幕の文字情報が３秒間だけ表示される場合に、最初に表示される字幕の文字情報と次に表示される字幕の文字情報とを同時に１０秒間（＝５秒×２）だけ表示することが可能となるのである。
【００１７】
また、取得された第１の字幕に対応する文字情報が、対応する表示開始時点情報に基づいて、予め設定された第１領域に表示され、第１の字幕に対応する表示開始時点情報である第１開始時点情報の示すタイミングの次に表示されるべく表示開始時点情報が設定された第２の字幕の表示開始時点情報である第２開始時点情報の示すタイミングで、第１領域と異なる領域である第２領域に表示されるため、更に利便性良好に字幕を見易く表示することができる。
【００１８】
すなわち、第１領域には、現在表示されている映像と対応する字幕の文字情報が表示され、第２領域には、現在表示されている映像の前に表示された映像と対応する字幕の文字情報が表示されるため、映像と字幕の文字情報との対応が明確となるので、更に利便性良好に字幕を見易く表示することができるのである。
【００１９】
更に、第１領域がモニタの表示可能領域の下部に設定され、第２領域が第１領域に近接し、第１領域の上側に設定されているため、字幕を更に見易く表示することができる。
【００２０】
すなわち、現在表示されている映像の前に表示された映像と対応する字幕の文字情報が表示される第２領域が、現在表示されている映像と対応する字幕の文字情報が表示される第１領域に近接し、且つ、第１領域の上側に設定されているため、字幕に対応する文字情報があたかも上側にスクロールされるかのように表示されるので、字幕を更に見易く表示することができるのである。
【００２１】
加えて、第１の字幕に対応する文字情報が、第１開始時点情報（＝第１の字幕に対応する文字情報の表示を開始するタイミングを規定する表示開始時点情報）の示すタイミングから、第２開始時点情報（＝第２の字幕に対応する文字情報の表示を開始するタイミングを規定するである表示開始時点情報）の示すタイミングまで第１領域に表示されるため、字幕を更に見易く表示することができる。
【００２２】
すなわち、従来は予め設定された期間（例えば、３秒間）だけ第１の字幕に対応する文字情報が表示されていたが、第１開始時点情報の示すタイミングから第２開始時点情報の示すタイミングまで第１領域に表示されるため、第１の字幕に対応する文字情報が第１領域に表示可能な最大の期間において表示されるので、字幕を更に見易く表示することができるのである。
【００２３】
また、第１の字幕に対応する文字情報が、第２開始時点情報（＝第２の字幕に対応する文字情報の表示を開始するタイミングを規定するである表示開始時点情報）の示すタイミングの次に表示されるべく表示開始時点情報が設定された第３の字幕の表示開始時点情報の示すタイミングまで第２領域に表示されるため、字幕を更に見易く表示することができる。
【００２４】
すなわち、従来は予め設定された期間（例えば、３秒間）だけ第１の字幕に対応する文字情報が表示されていたが、第２開始時点情報の示すタイミングから第３の字幕の表示開始時点情報の示すタイミングまで第２領域に表示されるため、第１の字幕に対応する文字情報が第２領域に表示可能な最大の期間において表示されるので、字幕を更に見易く表示することができるのである。
【００２５】
更に、所定の形式がＤｉｖＸ形式であるため、簡素な構成で利便性良好に字幕を見易く表示することができる。
【００２６】
すなわち、ＤｉｖＸ形式では、字幕に関する情報（＝字幕の文字情報及び表示開始時点情報を含む情報）が外部字幕ファイルとして映像情報とは別のファイルに格納されているため、字幕に関する情報を容易に読み出すことができるので、簡素な構成で利便性良好に字幕を見易く表示することができるのである。
【００２７】
請求項２に記載の映像情報再生装置によれば、記録媒体に格納された映像情報が再生されて、モニタに表示されると共に、記録媒体に格納された字幕の文字情報及び該文字情報の表示を開始するタイミングを規定する表示開始時点情報が読み出して取得される。そして、表示開始時点情報が隣接する複数の字幕に対応する文字情報が、予め設定されたルールに則って、モニタに予め設定された所定の領域に同時に表示されるため、利便性良好に字幕を見易く表示することができる。
【００２８】
すなわち、表示開始時点情報が隣接する複数の字幕に対応する文字情報が、予め設定されたルールに則って、モニタに予め設定された所定の領域に同時に表示されるため、従来の２倍以上の期間にわたって、字幕に対応する文字情報が表示されるので、利便性良好に字幕を見易く表示することができるのである。
【００２９】
例えば、従来は５秒毎に字幕の文字情報が３秒間だけ表示される場合に、最初に表示される字幕の文字情報と次に表示される字幕の文字情報とを同時に１０秒間（＝５秒×２）だけ表示することが可能となるのである。
【００３０】
請求項３に記載の映像情報再生装置によれば、取得された第１の字幕に対応する文字情報が、対応する表示開始時点情報に基づいて、予め設定された第１領域に表示され、第１の字幕に対応する表示開始時点情報である第１開始時点情報の示すタイミングの次に表示されるべく表示開始時点情報が設定された第２の字幕の表示開始時点情報である第２開始時点情報の示すタイミングで、第１領域と異なる領域である第２領域に表示されるため、更に利便性良好に字幕を見易く表示することができる。
【００３１】
すなわち、第１領域には、現在表示されている映像と対応する字幕の文字情報が表示され、第２領域には、現在表示されている映像の前に表示された映像と対応する字幕の文字情報が表示されるため、映像と字幕の文字情報との対応が明確となるので、更に利便性良好に字幕を見易く表示することができるのである。
【００３２】
請求項４に記載の映像情報再生装置によれば、第１領域がモニタの表示可能領域の下部に設定され、第２領域が第１領域に近接し、第１領域の上側に設定されているため、字幕を更に見易く表示することができる。
【００３３】
すなわち、現在表示されている映像の前に表示された映像と対応する字幕の文字情報が表示される第２領域が、現在表示されている映像と対応する字幕の文字情報が表示される第１領域に近接し、且つ、第１領域の上側に設定されているため、字幕に対応する文字情報があたかも上側にスクロールされるかのように表示されるので、字幕を更に見易く表示することができるのである。
【００３４】
請求項５に記載の映像情報再生装置によれば、第１の字幕に対応する文字情報が、第１開始時点情報（＝第１の字幕に対応する文字情報の表示を開始するタイミングを規定する表示開始時点情報）の示すタイミングから、第２開始時点情報（＝第２の字幕に対応する文字情報の表示を開始するタイミングを規定するである表示開始時点情報）の示すタイミングまで第１領域に表示されるため、字幕を更に見易く表示することができる。
【００３５】
すなわち、従来は予め設定された期間（例えば、３秒間）だけ第１の字幕に対応する文字情報が表示されていたが、第１開始時点情報の示すタイミングから第２開始時点情報の示すタイミングまで第１領域に表示されるため、第１の字幕に対応する文字情報が第１領域に表示可能な最大の期間において表示されるので、字幕を更に見易く表示することができるのである。
【００３６】
請求項６に記載の映像情報再生装置によれば、第１の字幕に対応する文字情報が、第２開始時点情報（＝第２の字幕に対応する文字情報の表示を開始するタイミングを規定するである表示開始時点情報）の示すタイミングの次に表示されるべく表示開始時点情報が設定された第３の字幕の表示開始時点情報の示すタイミングまで第２領域に表示されるため、字幕を更に見易く表示することができる。
【００３７】
すなわち、従来は予め設定された期間（例えば、３秒間）だけ第１の字幕に対応する文字情報が表示されていたが、第２開始時点情報の示すタイミングから第３の字幕の表示開始時点情報の示すタイミングまで第２領域に表示されるため、第１の字幕に対応する文字情報が第２領域に表示可能な最大の期間において表示されるので、字幕を更に見易く表示することができるのである。
【００３８】
請求項７に記載の映像情報再生装置によれば、所定の形式がＤｉｖＸ形式であるため、簡素な構成で利便性良好に字幕を見易く表示することができる。
【００３９】
すなわち、ＤｉｖＸ形式では、字幕に関する情報（＝字幕の文字情報及び表示開始時点情報を含む情報）が外部字幕ファイルとして映像情報とは別のファイルに格納されているため、字幕に関する情報を容易に読み出すことができるので、簡素な構成で利便性良好に字幕を見易く表示することができるのである。
【発明を実施するための最良の形態】
【００４０】
以下に本発明の実施形態を、図面を参照しながら説明する。図１は、本発明に係るＨＤＤプレイヤの一例を示す構成図である。ＨＤＤプレイヤ１００（＝ＨＤＤ搭載ＤＶＤプレイヤ：映像情報再生装置に相当する）は、本発明に係るピックアップ装置１、出力装置３、制御装置４、駆動装置５、ＨＤＤ読取部６、表示部７及び操作部８を備えている。また、ＨＤＤプレイヤ１００は、ディスプレイ２００に対して映像情報等を出力可能に接続されている。
【００４１】
ピックアップ装置１（映像表示手段の一部、字幕取得手段の一部に相当する）は、ＣＤ（Ｃｏｍｐａｃｔ  Ｄｉｓｋ）用ＬＤ（Ｌａｓｅｒ  Ｄｉｏｄｅ）及びＤＶＤ（Ｄｉｇｉｔａｌ  Ｖｅｒｓａｔｉｌｅ  Ｄｉｓｋ）用ＬＤを備え、再生する対象の光ディスク２（ＣＤ又はＤＶＤ）からの反射光を電気信号に変換し、光ディスク２（ＣＤ、又は、ＤＶＤ）に格納された音声情報、映像情報等の各種情報の読み取りを行うものである。ＣＤ用ＬＤは、ＣＤに格納された情報を読み取るレーザ光を照射するものである。ＤＶＤ用ＬＤは、ＤＶＤに格納された情報を読み取るレーザ光を照射するものである。また、ピックアップ装置１は、送りモータ５１によって、光ディスク２の径方向、及び、垂直方向（近接、離間方向）に移動可能に構成されている。
【００４２】
ＨＤＤ読取部６は、ＨＤＤ（Ｈａｒｄ  Ｄｉｓｋ  Ｄｒｉｖｅ）６１及びインターフェイス部６２（映像表示手段の一部、字幕取得手段の一部に相当する）を備えており、ＨＤＤ６１に映像情報を予め格納しており、出力装置３からの指示に基づいて図略のスピーカ及びディスプレイ２００に出力するものである。
【００４３】
ここでは、光ディスク２（記録媒体の一部に相当する）及びＨＤＤ６１（記録媒体の一部に相当する）には、ＤｉｖＸ形式でエンコード（＝符号化）された映像情報が予め格納されているものとする。また、光ディスク２及びＨＤＤ６１には、ユーザが所望するシーンに合わせて、予め字幕が作成され、外部字幕ファイルとして映像情報とは別に格納されている。
【００４４】
出力装置３は、ピックアップ装置１からの音声情報、映像情報等の情報を、音声及び画像に変換して、それぞれ、図略のスピーカ及びディスプレイ２００に出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００４５】
ＲＦアンプ３１（映像表示手段の一部、字幕取得手段の一部）は、ピックアップ装置１からの音声情報、映像情報等に対応する信号を増幅してＤＳＰ３２に出力するものである。ＤＳＰ３２は、ＨＤＤプレイヤ１００全体の動作を制御するものであって、光ディスク２又はＨＤＤ６１に格納された映像情報を読み出して、再生のための各種情報処理を施すものである。
【００４６】
再生処理回路３３（映像表示手段の一部、字幕表示手段の一部）は、ＲＦアンプ３１からの信号に対して、再生のための各種情報処理（例えばデコード処理、画像処理等）を施すものである。出力回路３４（映像表示手段の一部、字幕表示手段の一部）は、再生処理回路３３からの情報を、図略のスピーカ及びディスプレイ２００に出力するためにＤＡ変換処理等を行うものである。ディスプレイ２００（モニタに相当する）は、ＬＣＤ（Ｌｉｑｕｉｄ  Ｃｒｙｓｔａｌ  Ｄｉｓｐｌａｙ）等を備え、出力回路３４からの映像情報を外部から視認可能に表示するものである。
【００４７】
制御装置４は、操作部８を介して受け付けた指示操作に基づいて、ピックアップ装置１及び駆動装置５の動作を制御するものであって、システムコントローラ４１、及びドライバＩＣ４２を備えている。システムコントローラ４１は、操作部８からの情報を受け付けてＤＳＰ３２に伝送すると共に、ＤＳＰ３２からの情報を表示部７に伝送するものである。
【００４８】
ドライバＩＣ４２は、ＤＳＰ３２からの指示に基づいて、ピックアップ装置１及び駆動装置５の動作を制御するものである。具体的には、ドライバＩＣ４２は、ピックアップ装置１に配設されたＣＤ用ＬＤ及びＤＶＤ用ＬＤの動作を制御すると共に、駆動装置５を構成する送りモータ５１及びスピンドルモータ５２の動作を制御するものである。
【００４９】
駆動装置５は、送りモータ５１及びスピンドルモータ５２を備える。送りモータ５１は、ドライバＩＣ４２からの指示に基づいてピックアップ装置１を光ディスク２の径方向及び垂直方向に移動させるものである。スピンドルモータ５２は、ドライバＩＣ４２からの指示に基づいて光ディスク２を回転駆動するものである。
【００５０】
表示部７は、ＬＣＤ等を備え、ＤＳＰ３２からの情報を外部から視認可能に表示するものである。操作部８は、種々の操作ボタン等を備え、ユーザからの操作を受け付けて、ＤＳＰ３２に対応する操作信号を出力するものである。
【００５１】
図２は、本発明に係るＨＤＤプレイヤ１００における主要部の構成の一例を示す機能構成図である。ＤＳＰ３２は、機能的に、映像表示制御部３２１、字幕取得部３２２、及び、字幕表示制御部３２３を備えている。
【００５２】
ここでは、ＤＳＰ３２が、図略のＲＯＭ（Ｒｅａｄ  Ｏｎｌｙ  Ｍｅｍｏｒｙ）等に予め格納されたプログラムを読み出して実行することにより、映像表示制御部３２１、字幕取得部３２２、字幕表示制御部３２３等の機能部として機能するものである。
【００５３】
また、図略のＲＡＭ又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００５４】
映像表示制御部３２１（映像表示手段の一部に相当する）は、光ディスク２又はＨＤＤ６１に格納された映像情報を再生し、ディスプレイ２００に表示するものである。具体的には、映像表示制御部３２１は、光ディスク２又はＨＤＤ６１に格納された映像情報を、ピックアップ装置１、ＲＦアンプ３１、又は、インターフェイス部６２を介して読み出し、出力装置３（再生処理回路３３、出力回路３４）を介してディスプレイ２００に表示するものである。
【００５５】
字幕取得部３２２（字幕取得手段の一部に相当する）は、光ディスク２又はＨＤＤ６１に格納された字幕の文字情報及び文字情報の表示を開始するタイミングを規定する表示開始時点情報を読み出して取得するものである。具体的には、字幕取得部３２２は、光ディスク２又はＨＤＤ６１に格納された文字情報及び表示開始時点情報を、ピックアップ装置１、ＲＦアンプ３１、又は、インターフェイス部６２を介して読み出して取得するものである。
【００５６】
字幕表示制御部３２３（字幕表示手段の一部に相当する）は、字幕取得部３２２によって取得され、表示開始時点情報が隣接する複数の字幕に対応する文字情報を、予め設定されたルールに則って、ディスプレイ２００に予め設定された所定の領域（ここでは、図４（ｂ）に示す第１字幕表示部９１３及び第２字幕表示部９１２）に同時に表示するものである。
【００５７】
具体的には、字幕表示制御部３２３は、字幕取得部３２２によって取得された第１の字幕に対応する文字情報を、対応する表示開始時点情報に基づいて、ディスプレイ２００の表示可能領域の下部に設定された第１領域（ここでは、図４（ｂ）に示す第１字幕表示部９１３）に表示すると共に、第１の字幕に対応する表示開始時点情報である第１開始時点情報の示すタイミングの次に表示されるべく表示開始時点情報が設定された第２の字幕の表示開始時点情報である第２開始時点情報の示すタイミングで、前記第１領域に近接し、第１領域の上側に設定された第２領域（ここでは、図４（ｂ）に示す第２字幕表示部９１２）に表示するものである。
【００５８】
また、字幕表示制御部３２３は、第１の字幕に対応する文字情報を、第１開始時点情報の示すタイミングから第２開始時点情報の示すタイミングまで第１領域（ここでは、図４（ｂ）に示す第１字幕表示部９１３）に表示すると共に、第１の字幕に対応する文字情報を、第２開始時点情報の示すタイミングの次に表示されるべく表示開始時点情報が設定された第３の字幕の表示開始時点情報の示すタイミングまで第２領域（ここでは、図４（ｂ）に示す第１字幕表示部９１３）に表示するものである。
【００５９】
図３は、字幕表示制御部３２３の動作の一例を示すタイミングチャートである。（ａ）は、従来の字幕表示処理の一例を示すタイミングチャートであり、（ｂ）は、本発明に係る字幕表示制御部３２３の動作の一例を示すタイミングチャートである。（ａ）に示すように、従来は、表示開始時点Ｔ１１において、予め設定された所定の領域（例えば、図４（ｂ）に示す第１字幕表示部９１３）に字幕Ａに対応する文字情報が所定期間（例えば、３秒間）だけ（ここでは、表示終了時点Ｔ１２まで）表示される。
【００６０】
同様に、表示開始時点Ｔ２１において、予め設定された所定の領域（例えば、図４（ｂ）に示す第１字幕表示部９１３）に字幕Ｂに対応する文字情報が所定期間（例えば、３秒間）だけ（ここでは、表示終了時点Ｔ２２まで）表示され、表示開始時点Ｔ３１において、予め設定された所定の領域（例えば、図４（ｂ）に示す第１字幕表示部９１３）に字幕Ｃに対応する文字情報が所定期間（例えば、３秒間）だけ（ここでは、表示終了時点Ｔ３２まで）表示される。
【００６１】
一方、本発明に係る字幕表示制御部３２３によれば、（ｂ）に示すように、字幕Ａに対応する文字情報が、予め設定された第１領域（ここでは、図４（ｂ）に示す第１字幕表示部９１３）に、表示開始時点Ｔ１１から字幕Ｂの表示開始時点Ｔ２１まで表示され、更に、予め設定された第２領域（ここでは、図４（ｂ）に示す第２字幕表示部９１２）に、表示開始時点Ｔ２１から字幕Ｃの表示開始時点Ｔ３１まで表示される。
【００６２】
同様に、字幕Ｂに対応する文字情報が、予め設定された第１領域（ここでは、図４（ｂ）に示す第１字幕表示部９１３）に、表示開始時点Ｔ２１から字幕Ｃの表示開始時点Ｔ３１まで表示され、更に、予め設定された第２領域（ここでは、図４（ｂ）に示す第２字幕表示部９１２）に、表示開始時点Ｔ３１から字幕Ｄの表示開始時点Ｔ４１まで表示される。
【００６３】
図４は、本発明に係るＨＤＤプレイヤ１００によってディスプレイ２００に表示される画面の一例を示す画面図である。（ａ）は、図３（ｂ）に示すタイミングチャートの表示開始時点Ｔ１１から表示開始時点Ｔ２１まで表示される画面９００であり、（ｂ）は、図３（ｂ）に示すタイミングチャートの表示開始時点Ｔ２１から表示開始時点Ｔ３１まで表示される画面９１０であり、（ｃ）は、図３（ｂ）に示すタイミングチャートの表示開始時点Ｔ３１から表示開始時点Ｔ４１まで表示される画面９２０である。
【００６４】
画面９００には、画面全体に映像表示部９０１が表示され、画面下部に第１字幕表示部９０２が表示されている。映像表示部９０１は、映像表示制御部３２１によって映像が表示されるものである。第１字幕表示部９０２は、字幕表示制御部３２３によって、字幕Ａに対応する文字情報（ここでは、「あいうえお」）が表示されるものである。
【００６５】
画面９１０には、画面全体に映像表示部９１１が表示され、画面下部に第１字幕表示部９１３が表示され、第１字幕表示部９１３の上側に第１字幕表示部９１３と隣接して第２字幕表示部９１２が表示されている。映像表示部９１１は、映像表示制御部３２１によって映像が表示されるものである。第１字幕表示部９１３は、字幕表示制御部３２３によって、字幕Ｂに対応する文字情報（ここでは、「かきくけこ」）が表示されるものである。第２字幕表示部９１２は、字幕表示制御部３２３によって、字幕Ａに対応する文字情報（ここでは、「あいうえお」）が表示されるものである。
【００６６】
画面９２０には、画面全体に映像表示部９２１が表示され、画面下部に第１字幕表示部９２３が表示され、第１字幕表示部９２３の上側に第１字幕表示部９２３と隣接して第２字幕表示部９２２が表示されている。映像表示部９２１は、映像表示制御部３２１によって映像が表示されるものである。第１字幕表示部９２３は、字幕表示制御部３２３によって、字幕Ｃに対応する文字情報（ここでは、「さしすせそ」）が表示されるものである。第２字幕表示部９３２は、字幕表示制御部３２３によって、字幕Ｂに対応する文字情報（ここでは、「かきくけこ」）が表示されるものである。
【００６７】
このようにして、光ディスク２又はＨＤＤ６１に格納された映像情報が再生されて、ディスプレイ２００に表示されると共に、光ディスク２又はＨＤＤ６１に格納された字幕の文字情報及び文字情報の表示を開始するタイミングを規定する表示開始時点情報が読み出して取得される。そして、表示開始時点情報が隣接する複数の（ここでは、２個の）字幕に対応する文字情報が、予め設定されたルールに則って、ディスプレイ２００に予め設定された所定の領域（ここでは、図４（ｂ）に示す第１字幕表示部９１３、及び、第２字幕表示部９１２）に同時に表示されるため、利便性良好に字幕を見易く表示することができる。
【００６８】
すなわち、表示開始時点情報が隣接する複数の（ここでは、２個の）字幕に対応する文字情報が、予め設定されたルールに則って、ディスプレイ２００に予め設定された所定の領域（ここでは、図４（ｂ）に示す第１字幕表示部９１３、及び、第２字幕表示部９１２）に同時に表示されるため、従来の２倍以上の期間にわたって、字幕に対応する文字情報が表示されるので、利便性良好に字幕を見易く表示することができるのである（図３参照）。
【００６９】
例えば、従来は５秒毎に字幕の文字情報が３秒間だけ表示される場合（図３（ａ）参照）に、最初に表示される字幕の文字情報と次に表示される字幕の文字情報とを同時に１０秒間（＝５秒×２）だけ表示することが可能となる（図３（ｂ）参照）のである。
【００７０】
また、取得された第１の字幕（例えば、図３（ｂ）に示す字幕Ａ）に対応する文字情報が、対応する表示開始時点情報に基づいて、予め設定された第１領域（ここでは、図４（ｂ）に示す第１字幕表示部９１３）に表示され、第１の字幕（ここでは、字幕Ａ）に対応する表示開始時点情報である第１開始時点情報の示すタイミング（ここでは、表示開始時点Ｔ１１）の次に表示されるべく表示開始時点情報が設定された第２の字幕（ここでは、字幕Ｂ）の表示開始時点情報である第２開始時点情報の示すタイミング（ここでは、表示開始時点Ｔ２１）で、第１領域と異なる領域である第２領域（ここでは、図４（ｂ）に示す第２字幕表示部９１２）に表示されるため、更に利便性良好に字幕を見易く表示することができる。
【００７１】
すなわち、第１領域（ここでは、図４（ｂ）に示す第１字幕表示部９１３）には、現在表示されている映像と対応する字幕（ここでは、字幕Ｂ）の文字情報が表示され、第２領域（ここでは、図４（ｂ）に示す第２字幕表示部９１２）には、現在表示されている映像の前に表示された映像と対応する字幕（ここでは、字幕Ａ）の文字情報が表示されるため、映像と字幕の文字情報との対応が明確となるので、更に利便性良好に字幕を見易く表示することができるのである。
【００７２】
更に、第１領域（ここでは、図４（ｂ）に示す第１字幕表示部９１３）がディスプレイ２００の表示可能領域の下部に設定され、第２領域（ここでは、図４（ｂ）に示す第２字幕表示部９１２）が第１領域に近接し、第１領域の上側に設定されているため、字幕を更に見易く表示することができる。
【００７３】
すなわち、現在表示されている映像の前に表示された映像と対応する字幕（ここでは、字幕Ａ）の文字情報が表示される第２領域（ここでは、図４（ｂ）に示す第２字幕表示部９１２）が、現在表示されている映像と対応する字幕（ここでは、字幕Ｂ）の文字情報が表示される第１領域（ここでは、図４（ｂ）に示す第１字幕表示部９１３）に近接し、且つ、第１領域の上側に設定されているため、字幕に対応する文字情報があたかも上側にスクロールされるかのように表示されるので、字幕を更に見易く表示することができるのである。
【００７４】
加えて、第１の字幕（ここでは、字幕Ａ）に対応する文字情報が、第１開始時点情報（＝第１の字幕に対応する文字情報の表示を開始するタイミングを規定する表示開始時点情報）の示すタイミング（ここでは、表示開始時点Ｔ１１）から、第２開始時点情報（＝第２の字幕に対応する文字情報の表示を開始するタイミングを規定するである表示開始時点情報）の示すタイミング（ここでは、表示開始時点Ｔ２１）まで第１領域（ここでは、図４（ｂ）に示す第１字幕表示部９１３）に表示されるため、字幕を更に見易く表示することができる。
【００７５】
すなわち、従来は予め設定された期間（例えば、３秒間）だけ第１の字幕に対応する文字情報が表示されていた（図３（ａ）参照）が、第１開始時点情報の示すタイミング（ここでは、表示開始時点Ｔ１１）から第２開始時点情報の示すタイミング（ここでは、表示開始時点Ｔ２１）まで第１領域（ここでは、図４（ｂ）に示す第１字幕表示部９１３）に表示されるため、第１の字幕（ここでは、字幕Ａ）に対応する文字情報が第１領域に表示可能な最大の期間において表示されるので、字幕を更に見易く表示することができるのである。
【００７６】
また、第１の字幕（ここでは、字幕Ａ）に対応する文字情報が、第２開始時点情報（＝第２の字幕（ここでは、字幕Ｂ）に対応する文字情報の表示を開始するタイミングを規定するである表示開始時点情報）の示すタイミング（ここでは、表示開始時点Ｔ２１）の次に表示されるべく表示開始時点情報が設定された第３の字幕（ここでは、字幕Ｃ）の表示開始時点情報の示すタイミング（ここでは、表示開始時点Ｔ３１）まで第２領域（ここでは、図４（ｂ）に示す第２字幕表示部９１２）に表示されるため、字幕を更に見易く表示することができる。
【００７７】
すなわち、従来は予め設定された期間（例えば、３秒間）だけ第１の字幕に対応する文字情報が表示されていた（図３（ａ）参照）が、第２開始時点情報の示すタイミング（ここでは、表示開始時点Ｔ２１）から第３の字幕（ここでは、字幕Ｃ）の表示開始時点情報の示すタイミング（ここでは、表示開始時点Ｔ３１）まで第２領域（ここでは、図４（ｂ）に示す第２字幕表示部９１２）に表示されるため、第１の字幕（ここでは、字幕Ａ）に対応する文字情報が第２領域に表示可能な最大の期間において表示されるので、字幕を更に見易く表示することができるのである。
【００７８】
更に、所定の形式がＤｉｖＸ形式であるため、簡素な構成で利便性良好に字幕を見易く表示することができる。
【００７９】
すなわち、ＤｉｖＸ形式では、字幕に関する情報（＝字幕の文字情報及び表示開始時点情報を含む情報）が外部字幕ファイルとして映像情報とは別のファイルに格納されているため、字幕に関する情報を容易に読み出すことができるので、簡素な構成で利便性良好に字幕を見易く表示することができるのである。
【００８０】
なお、本発明は、以下の形態にも適用可能である。
（Ａ）本実施形態では、映像情報再生装置がＨＤＤプレイヤ１００である場合について説明したが、映像情報再生装置が記録媒体に格納された映像情報を再生する装置であればよい。例えば、映像情報再生装置がハードディスク等の記録媒体に格納された映像情報を再生可能に構成されたパーソナルコンピュータである形態でもよい。
【００８１】
（Ｂ）本実施形態では、記録媒体が光ディスク２及びＨＤＤ６１である場合について説明したが、記録媒体がその他の種類の記録媒体である形態でもよい。例えば、記録媒体が、光ディスク２及びＨＤＤ６１のいずれか一方である形態でもよいし、フレキシブルディスク、半導体メモリ等である形態でもよい。
【００８２】
（Ｃ）本実施形態では、ＤＳＰ３２が映像表示制御部３２１、字幕取得部３２２、字幕表示制御部３２３として機能する場合について説明したが、少なくとも１の機能部が回路によって実現されている形態でもよい。
【００８３】
（Ｄ）本実施形態では、字幕表示制御部３２３が２個の字幕に対応する文字情報を同時に表示する場合について説明したが、字幕表示制御部３２３が３個以上の字幕に対応する文字情報を同時に表示する形態でもよい。この場合には、更に字幕を見易く表示することができる。
【００８４】
（Ｅ）本実施形態では、第１領域（ここでは、図４（ｂ）に示す第１字幕表示部９１３）がディスプレイ２００の表示可能領域の下部に設定され、第２領域（ここでは、図４（ｂ）に示す第２字幕表示部９１２）が第１領域に近接し、第１領域の上側に設定されている場合について説明したが、第１領域及び第２領域がその他の位置に設定されている形態でもよい。例えば、第１領域及び第２領域がディスプレイ２００の表示可能領域の下部に横方向に隣接して設定されている形態でもよい。
【００８５】
（Ｆ）本実施形態では、光ディスク２及びＨＤＤ６１に格納された映像情報がＤｉｖＸ形式でエンコードされた映像情報である場合について説明したが、その他の形式（例えば、ＷＭＶ形式）でエンコードされた映像情報である形態でもよい。
【図面の簡単な説明】
【００８６】
【図１】は、本発明に係るＨＤＤプレイヤの一例を示す構成図である。
【図２】は、本発明に係るＨＤＤプレイヤにおける主要部の構成の一例を示す機能構成図である。
【図３】は、字幕表示制御部の動作の一例を示すタイミングチャートである。
【図４】は、本発明に係るＨＤＤプレイヤによってディスプレイに表示される画面の一例を示す画面図である。
【符号の説明】
【００８７】
１００    ＨＤＤプレイヤ（映像情報再生装置）
２００    ディスプレイ（モニタ）
１    ピックアップ装置（映像表示手段の一部、字幕取得手段の一部）
２    光ディスク（記録媒体の一部）
３    出力装置
３１    ＲＦアンプ（映像表示手段の一部、字幕取得手段の一部）
３２    ＤＳＰ
３２１    映像表示制御部（映像表示手段の一部）
３２２    字幕取得部（字幕取得手段の一部）
３２３    字幕表示制御部（字幕表示手段の一部）
３３    再生処理回路（映像表示手段の一部、字幕表示手段の一部）
３４    出力回路（映像表示手段の一部、字幕表示手段の一部）
６    ＨＤＤ読取部
６１    ＨＤＤ（記録媒体の一部）
６２    インターフェイス部（映像表示手段の一部、字幕取得手段の一部）
【図１】
2008211651.tif 000003
【図２】
2008211651.tif 000004
【図３】
2008211651.tif 000005
【図４】
2008211651.tif 000006